(57)【要約】【課題】身と蓋との結合において、周囲と仕切りとのいずれにおいても突と溝との密嵌操作を容易になすことができ、また、いずれにおいても汁漏れが生じない密閉式仕切り容器を提供する。【解決手段】上端周縁に起立口部壁を有する身と、起立口部壁の上端部に全周に密嵌するよう周縁被着溝が設けられ、且つ環状の斜面壁で落込み凹部を広く形成した凹形の蓋とからなるプラスチック製の容器であって、身の内側にその空間を分ける仕切壁を設けるとともに、凹形の蓋の下面に接合するように、両端に段落傾斜を設けてその間において仕切壁を低く形成し、蓋の下面には仕切壁の上端に密嵌する仕切被着溝を設けた。【選択図】    図１
2004168400.tif 000002
【特許請求の範囲】
【請求項１】
上端周縁に起立口部壁を有する身と、起立口部壁の上端部に全周に密嵌するよう周縁被着溝が設けられ、且つ環状の斜面壁で落込み凹部を広く形成した凹形の蓋とからなるプラスチック製の容器であって、身の内側にその空間を分ける仕切壁を設けるとともに、凹形の蓋の下面に接合するように、両端に段落傾斜を設けてその間において仕切壁を低く形成し、蓋の下面には仕切壁の上端に密嵌する仕切被着溝を設けたことを特徴とする密閉式仕切り容器。
【請求項２】
身を軟質ないし半硬質に、蓋を硬質にそれぞれ形成することにより、その身と蓋との間に開封までに不正に開けられないよう開蓋防止装置を設けてあって、開蓋防止装置については、身の起立口部壁の下端に突条を介して外側に並列する帯巻片を摘みにより切取り可能に形成し、蓋にはその起立口部壁と帯巻片との間に挟まれる垂下周壁を突設し、帯巻片に対してその垂下周壁を脱出不能に結合してあって、垂下周壁の内側に内周突条を併設してその間が前記周縁被着溝となっていることを特徴とする密閉式仕切り容器。
【発明の詳細な説明】
【０００１】
【発明の属する技術分野】
この発明は、食品を仕切って詰めることができる容器であって、身と蓋との密閉だけでなく仕切りにおいても密閉となるプラスチック製の密閉式仕切り容器に関する。
【０００２】
【従来の技術】
プラスチック製の密閉式容器は、加工食品の販売のために多用され、また、家庭では料理した食品の保存のために常用される。このような使用上から、食品の汁漏れと品質保持のために極力密閉した構造になされるが、従来、内部を仕切るとともに仕切りにおいても液漏れがないよう確実に密閉できる容器は提供されていなかった。
【０００３】
密閉構造については、基本的に、身と蓋との結合を突条と溝条との弾性結合によりなされる。さらに、販売のために使用する形態には、中途で不正に蓋を開けられないように、消費者が開ける開封までロック状態が保持される開蓋防止装置付きとなされることがある。その例としては、この出願人に係る特願平７−１１３９５８号（特開平７−１１３９５８号公報）において提案したものを挙げることができる。
【０００４】
【発明が解決しようとする課題】
身と蓋との密閉構造については、上記のように突条と溝条との弾性結合によるときに、一般的に、身を硬質に、蓋を軟質または半硬質に成形されるが、殊に、長方形の容器の場合、その長辺の中途では柔軟に変形しやすいために、突条と溝条との嵌入が具合良くなし得なくなる。殊に、開蓋防止装置付きとする手段として身を軟質ないし半硬質としたときには、周壁が柔軟に変形するために、蓋を密嵌する操作に不都合が生じやすかった。
【０００５】
身を仕切る密閉構造については、その内部に仕切壁を形成しただけでは、蓋との間から汁が他方へ溢れることになる。これを防止する必要から、仕切壁の上端に密嵌するように蓋の下面に溝を突設すれば良いと考えられる。しかし、密嵌操作する部分が周囲の他に仕切壁においても余分に生じることになるため、蓋の開閉、特に蓋を締める操作が容易ではなくなるという問題があった。
【０００６】
この発明は、上記のような実情に鑑みて、身と蓋との結合において、周囲と仕切りとのいずれにおいても突と溝との密嵌操作を容易になすことができ、また、いずれにおいても汁漏れが生じない密閉式仕切り容器を提供することを目的とした。
【０００７】
【課題を解決するための手段】
上記の目的を達成するために、この発明は、上端周縁に起立口部壁を有する身と、起立口部壁の上端部に全周に密嵌するよう周縁被着溝が設けられ、且つ環状の斜面壁で落込み凹部を広く形成した凹形の蓋とからなるプラスチック製の容器であって、身の内側にその空間を分ける仕切壁を設けるとともに、凹形の蓋の下面に接合するように、両端に段落傾斜を設けてその間において仕切壁を低く形成し、蓋の下面には仕切壁の上端に密嵌する仕切被着溝を設けたことを特徴とする密閉式仕切り容器を提供するものである。
【０００８】
【作用】
密閉式仕切り容器を上記のように構成したから、身の側の突としての起立口部壁と仕切壁とに、蓋の周縁被着溝および仕切被着溝がそれぞれ密嵌するものであるが、身では起立口部壁と仕切壁が交差して相互に補強し、蓋では周縁被着溝と仕切被着溝が同様に相互に補強する関係となるため、形状の安定性が得られて確実に蓋を締めることができ、また、汁漏れしないようそれぞれの密嵌が安定して保持されることになる。しかも、蓋を被せると、その斜面壁の下に有する仕切被着溝の傾斜部が仕切壁の段落傾斜の部分に最初に嵌まる関係で、それがガイドとなって順次嵌まりが全体に波及するので、仕切壁における密嵌操作も容易である。
【０００９】
【発明の実施の形態】
この発明において、密閉式仕切り容器Ｐの平面的形状については特に限定するものではなく、正四角形、長方形などの多角形の他、円形、楕円形などが適当なものとして挙げることができるが、長方形、楕円形においてその幅方向に仕切壁３を有する場合が補強的効果が大きい。しかし、仕切壁３は、単に直の一形に限らなく、十文字形、Ｔ字形等であっても良い。また、開蓋防止装置Ｒ付きの有無は問題としない。したがって、単に家庭用として食品を冷蔵庫に保存するために使用する容器においても実施され得る。
【００１０】
また、身１と蓋２とは、プラスチックの硬度的材質について限定しないが、強度的安定性が要求される身１を軟質または半硬質とすると（請求項２の場合）、このときは特に効果は大きい。同項の場合、開蓋防止装置Ｒ付きであって、この構造については、蓋２の垂下周壁２１が身１と一体の帯巻片１３と結合することにより、開封不能にロックされているので、帯巻片１３を千切り取ると、ロック状態が解除されることにより、以後蓋２の開閉が自由となるもので、このため、帯巻片１３を千切り取りやすく身１を軟質ないし半硬質のプラスチックで成形した。なお、千切り取るために摘み１７が設けられ、その摘み１７は、実施例では帯巻片１３に伏せ形にしたが、下向き舌片形であっても良いというように様々となり得る。
【００１１】
【発明の効果】
以上説明したように、この発明の密閉式仕切り容器によれば、仕切壁により食品を分けて詰めることができものであるが、身と蓋との結合において、周囲と仕切りとのいずれにおいても補強構造となるので、突と溝との密嵌操作を容易になすことができ、また、周囲と仕切りとのいずれにおいても汁漏れがなく、特に汁漏れの食品を分けて詰めるのに非常に好都合であるという優れた効果がある。また、開蓋防止装置付きのために身を軟質ないし半硬質にプラスチック成形したものでは効果が顕著となる。
【００１２】
【実施例】
次に、この発明の実施例を図面に基づいて説明する。
【００１３】
図面は、加工食品を詰めて販売するために使用する容器として実施した一例を示したもので、その密閉式仕切り容器Ｐは、身１が軟質ないし半硬質プラスチックで、蓋２が硬質プラスチックでそれぞれ成形される。そして、身１と蓋２とは周囲を密嵌構造にすることに付随して開封までの開蓋防止装置Ｒが構成されており、また、身１に仕切壁３を設け、蓋２がそれに密嵌する構造となっている。
【００１４】
開蓋防止装置Ｒ付き密嵌構造については、身１では上端に起立口部壁７を形成し、その下端に突条９を突設し、突条９に切取り線接続部１１を介してバンド状の帯巻片１３を形成し、その帯巻片１３が間隔をおいて起立口部壁７と並列に置かれる。また、一角部において帯巻片１３には、それを切断するために薄肉部１５を内面の切欠により設け（図５）、薄肉部１５の反時計回りに隣接して摘み１７を時計回り方向に突設し、帯巻片１３に摘み１７を点接続１９により伏せられる。したがって、帯巻片１３を取り除くときには、まず摘み１７を引き離して点接続１９を断ち、次に薄肉部１５で帯巻片１３を切断してから線接続部１１に沿って引き千切る。
【００１５】
身１の上端部は、上記のように、起立口部壁７に突条９および線接続部１１を介して帯巻片１３が並列し、この並列により深溝形となっているので、蓋２にはその深溝に嵌入する垂下周壁２１と、起立口部壁７の内側に接合する内周突条２３とが垂設され、垂下周壁２１と内周突条２３との間が周縁被着溝２４となっている。また、垂下周壁２１が帯巻片１３にロック状に結合することにより開蓋防止装置Ｒが機能する構造となっている。
【００１６】
垂下周壁２１のロック状結合については、帯巻片１３に上下二段に掛止溝条２５，２６を設け（図３）、垂下周壁２１にはその掛止溝条２５，２６に密嵌する係合凸条２７，２８が形成される。そこで、摘み１７を操作して帯巻片１３を切り取れば（図６参照）、蓋２では係合凸条２７，２８が係合する相手としての掛止溝条２５，２６が無くなるために、開蓋防止装置Ｒの機能を喪失する結果、以後蓋２を自由に開閉できることになる。なお、容器の角部では係合凸条２７，２８が低く形成される。
【００１７】
さらに、身１については、凹形の蓋に合わせて仕切壁３の両端部に段落傾斜３５，３５を設けることによりその間を低く形成し、両端の高い箇所で蓋２の内周突条２３を受けるようになっている。また、下端に蓋２の落込み凹部３３に受けられる糸底３６が形成される。
【００１８】
また、蓋２の凹形については、周囲の縁に近い位置に斜面壁３１を環状に形成することによりその内側に広く落込み凹部３３を有する。そこで、下面には、仕切壁３の全長に密嵌するように仕切被着溝３７が落込み凹部３３に合わせて形成される。そこで、蓋２を閉めるときには、まず、仕切被着溝３７の傾斜部３８，３８が仕切壁３の段落傾斜３５，３５に嵌まり（図３の二点鎖線参照）、そこが仕切壁３に嵌まる先行ガイドとなる。
【図面の簡単な説明】
【図１】この発明の密閉式仕切り容器を重ねて示す断面図である。
【図２】同密閉式仕切り容器を一部切欠した平面図である。
【図３】図２のＡ−Ａ線矢視において蓋を閉じる寸前で示す拡大断面図である。
【図４】同Ａ−Ａ線矢視の拡大断面図である。
【図５】図２のＢ部を一部切欠して示す拡大平面図である。
【図６】開蓋防止装置のロック状態を解除した状態を示す図３に対応する断面図である。
【符号の説明】
Ｐ  密閉式仕切り容器
Ｒ  開蓋防止装置
１  身
２  蓋
３  仕切壁
７  起立口部壁
９  突条
１３  帯巻片
１７  摘み
２１  垂下周壁
２３  内周突条
２４  周縁被着溝
３１  斜面壁
３３  落込み凹部
３５  段落傾斜
３７  仕切被着溝
【図１】
2004168400.tif 000003
【図２】
2004168400.tif 000004
【図３】
2004168400.tif 000005
【図４】
2004168400.tif 000006
【図５】
2004168400.tif 000007
【図６】
2004168400.tif 000008